(57)【要約】【課題】温度劣化の問題を改善しつつ、小動物による損傷被害を抑制して、土木工事用袋体の耐用年数の延長を図ること。【解決手段】袋本体２０と吊りベルト３０とを具備した土木工事用袋体１０であり、袋本体２０および吊りベルト３０が緑色系の色に着色されている。【選択図】図１
2019218725.tif 000002
【特許請求の範囲】
【請求項１】
織地を用いた袋本体と、袋本体を吊るための吊りベルトとを具備し、前記袋本体に取り付けられた吊りベルトの一部に複数の吊り手が形成され、前記袋本体および吊りベルトが同系色に着色された土木工事用袋体であって、
前記同系色が緑色系であることを特徴とする、
土木工事用袋体。
【請求項２】
前記織地が緑色系に形成されていることを特徴とする、請求項１に記載の土木工事用袋体。
【請求項３】
前記織地を構成する経糸および緯糸が緑色系に着色されていることを特徴とする、請求項１または２に記載の土木工事用袋体。
【請求項４】
緑色系に着色された縫合糸を用いて縫合されていることを特徴とする、請求項１に記載の土木工事用袋体。
【発明の詳細な説明】
【技術分野】
【０００１】
本発明は海洋または陸上における各種土木工事の大型土のうを製作するための土木工事用袋体に関する。
【背景技術】
【０００２】
吊りベルト付きの土のう袋（土木工事用袋体）内に１ｍ３ほどの土砂等の被収容物を収容した大型土のうは、河川工事、土留め道路復旧工事、除染後の放射能汚染物質の一時保管等に用いられている。
土のう袋は袋本体と吊りベルトを具備していて、袋本体は化学繊維製の織地を用いて形成され、袋本体に取り付けられた化学繊維製の吊りベルトは吊り上げ可能な複数の吊り手を形成している(特許文献１，２)。
紫外線対策の観点から、袋本体と吊りベルトを含む土のう袋全体を黒色に形成することが主流になっている。
【先行技術文献】
【特許文献】
【０００３】
【特許文献１】特開２００３−１０５７３４号公報
【特許文献２】特開２００８−５０９４０号公報
【発明の概要】
【発明が解決しようとする課題】
【０００４】
従来の土のう袋（土木工事用袋体）には次のような課題がある。
＜１＞土のう袋が炎天下に晒されると、土のう袋の素材が加熱されて熱くなる。
土のう袋の全体が黒色の場合は、紫外光と可視光を吸収しすぎて素材温度が高くなるために、土のう袋の素材に多量の耐熱剤を混入して対処しているが、それでも夏場になると６０〜７０℃の高温に達する。
一般に気温が１０℃上昇すると、土のう袋の劣化が２倍になるといわれており、土のう袋に対する温度劣化対策の見直しが求められている。
＜２＞食物残渣を求めてカラス等の小動物が土のう袋を傷付ける事例が報告されている。
土のう袋はヒトも小動物も内部を視認できない素材で形成されているものの、食物残渣が収容されている黒色のゴミ袋での学習効果に基づきカラス等の小動物が黒色の土のう袋を傷付けたものと推測される。
一般的に土のう袋の耐用年数は主に紫外線劣化を想定したものであって、小動物による損傷を想定していない。
そのため、土のう袋の全体が黒色であるために、カラス等の小動物によって損傷を受けても損傷箇所を見つけ難いうえに、土のう袋が小動物によって傷付けられると土のう袋の耐用年数に悪影響を及ぼす。
＜３＞一般に黒色は圧迫感を与える傾向にあるため、黒色の大型土のうを緑の多い山間部で使用すると周囲の景観に馴染み難いだけでなく、人通りの多い市街地等で目にすると見る者に不快感を与え易い。
＜４＞放射性除染物質を収納した黒色の大型土のうがＴＶや新聞等を通じて繰り返し報道されていることで、すべての黒色の土のう袋が放射性除染物質の専用袋であるかのような誤った印象を持たれている。
【０００５】
本発明は以上の点に鑑みて成されたもので、その目的とするところは少なくともつぎのひとつの土木工事用袋体を提供することにある。
＜１＞温度劣化の問題を改善しつつ、小動物による損傷被害を抑制して、土木工事用袋体の耐用年数の延長を図ること。
＜２＞周囲の景観に馴染みやすく、土木工事用袋体を見る者の嫌悪感を緩和すること。
【課題を解決するための手段】
【０００６】
本発明の土木工事用袋体は、織地を用いた袋本体と、袋本体を吊るための吊りベルトとを具備し、前記袋本体に取り付けられた吊りベルトの一部に複数の吊り手が形成され、前記袋本体および吊りベルトが同系色に着色された土木工事用袋体であって、前記同系色が緑色系の色になっている。
土木工事用袋体の全体を緑色系の同系色にすることで、温度劣化に対する耐久性と小動物による損傷被害に起因した耐久性を改善できて、土木工事用袋体の耐用年数を大幅に延長できる。
袋本体および吊りベルトを構成する織地が緑色系に形成されていればよい。
土木工事用袋体の全体を緑色系に形成するには、織地を構成する経糸および緯糸を予め緑色系に着色しておけばよい。
さらに緑色系に着色された縫合糸を用いて縫合するようにしてもよい。
【発明の効果】
【０００７】
本発明はつぎの効果のうち少なくとも一つを奏する。
＜１＞土木工事用袋体の全体を緑色系の同系色にするだけで、温度劣化の問題と小動物による損傷被害の問題を改善できる。
したがって、従来の黒色の土木工事用袋体と比べて耐用年数を大幅に延長することができる。
＜２＞緑色系の土木工事用袋体は市街地だけでなく山間部で使用しても周囲の景観に馴染みやすく、さらに緑色系は黒色と異色の関係にあるため土木工事用袋体を見る者の嫌悪感を緩和できる。
【図面の簡単な説明】
【０００８】
【図１】本発明に係る土木工事用袋体の全体斜視図
【図２】土木工事用袋体を用いた大型土のうの斜視図
【図３】土木工事用袋体を構成する織地の拡大図
【発明を実施するための形態】
【０００９】
以下に図面を参照しながら本発明の土木工事用袋体について詳細に説明する。
【００１０】
＜１＞土木工事用袋体の概要
図１，２を参照して説明すると、本発明に係る土木工事用袋体１０は、上口を開放した有底構造の袋本体２０と、袋本体２０を吊るための吊りベルト３０とを具備する。
袋本体２０の破断強度や吊りベルト３０の引張強度は、従来と同様に被収容物の重量に耐え得るように設定されている。
土木工事用袋体１０を構成する袋本体２０の全体および吊りベルト３０の全体には緑色系の色彩（緑、緑青色等を含む）が施されている。
【００１１】
＜２＞袋本体
袋本体２０は織地または樹脂製シート等からなる。
本例で例示した袋本体２０について説明すると、袋本体２０は袋状の収容部２１と、収容部２１の上縁に接続された筒状の蓋筒部２２とを備え、蓋筒部２２の一部には蓋筒部２２の開口を封鎖するための紐状またはロープ状の結束体２３を有している。
袋本体２０の素材としては、例えばポリプロピレン、ポリエステル、ポリエチレン、ポリアミド等の合成樹脂素材を適用でき、これらをフラットヤーンまたはモノフィラメント等の形態で使用できる。
【００１２】
＜３＞吊りベルト
吊りベルト３０は袋本体２０を吊り上げるための帯状ベルトであり、袋本体２０の上部に複数の吊り手３１が延設されている。
本例では、収容部２１の周面の４箇所に縦向きに配置したベルト材を収容部２１の底部で交差させて２つの吊り手３１を形成した形態について説明するが、吊り手３１の形成数は適宜選択が可能である。
吊りベルト３０は高強度、耐候性及び耐久性を備えた素材からなり、その素材としては、例えばポリプロピレン、ポリエステル、ポリエチレン、ポリアミド等の合成樹脂素材を適用でき、これらをマルチフィラメント、フラットヤーンまたはモノフィラメント等の形態で使用できる。
【００１３】
＜４＞土木工事用袋体の着色方法
土木工事用袋体１０全体を小動物の忌避色にするにはつぎの方法を採用することができる。以下の着色方法は例示であってこれらの方法に限定されるものではない。
【００１４】
＜４．１＞着色糸を使用する方法
図３を参照して説明すると、経糸ａおよび緯糸ｂを小動物の忌避色の顔料を用いて予め染色しておき、これらの経糸ａおよび緯糸ｂを用いて袋本体２０または吊りベルト３０の構成材となる織地を形成する。織地は公知の平織または綾織等で製作する。
【００１５】
織地を構成する原糸（経糸ａおよび緯糸ｂ）や縫合糸に紫外線吸収剤（カーボンブラック）または反射剤を練り込んでおくことが望ましい。
紫外線吸収剤としては、例えばフェニルサリシレート系、ヒドロキシベンゾフェノン系、ベンゾトリアゾール系等、カーボンブラックを使用できる。
反射剤としては、例えば酸化鉄、酸化クロム、酸化鉛、酸化亜鉛、酸化マグネシウム、酸化チタン、炭酸カルシウム、硫酸バリウム等を使用できる。
織地に上記した紫外線対策を施しておくことで、土木工事用袋体１０の紫外線劣化を効果的に抑制できる。
【００１６】
＜４．２＞緑色系の保護膜をコーティングする方法
織地、または土木工事用袋体１０の表面に小動物の忌避色の樹脂塗料を吹付けまたは含浸等によりコーティングすることで土木工事用袋体１０の全体を着色してもよい。
織地または土木工事用袋体１０の表面に樹脂塗料を塗布することで土木工事用袋体１０の全体を小動物の忌避色に着色できるだけでなく、樹脂塗料が保護膜となって土木工事用袋体１０の耐久性が向上する。
【００１７】
＜４．３＞着色シートを貼着する方法
小動物の忌避色の着色シートを使用して、織地の表面、または土木工事用袋体１０の表面を着色してもよい。この場合、着色シートが容易に剥がれないように接着剤を介して着色シートを貼着する。
【００１８】
＜５＞大型土のうの製作方法
土木工事用袋体１０を用いた大型土のうの製作方法について簡単に説明する。
すなわち、蓋筒部２２を開口した状態で、収容部２１内に土砂等の被収容物を直接収容するか、または図外の内袋を介して収容する。
被収容物の収容後に、蓋筒部２２を結束体２３で閉じることで、大型土のうの製作を完了する。
【００１９】
＜６＞土木工事用袋体の特有の効果
大型土のうを構成する土木工事用袋体１０が緑色系であることでつぎの複数の効果を奏する。
【００２０】
＜６．１＞耐久性の向上効果
本発明に係る土木工事用袋体１０を緑色系にしたことで、以下に詳述するように、温度劣化の問題と小動物による損傷被害の問題を改善して土木工事用袋体１０の耐用年数の延長を図ることができる。
【００２１】
＜６．１．１＞温度劣化の抑制効果
紫外光と可視光の吸収性について検証すると、緑色系の土木工事用袋体１０が黒色の土木工事用袋体と比べてその吸収性が低い関係にある。
そのため、緑色系の土木工事用袋体１０が炎天に晒されても土木工事用袋体１０の素材温度の上昇を低く抑制することができる。
緑色系の土木工事用袋体１０では、素材に多量の耐熱剤を混入しなくとも温度劣化の影響が少なくて済むので、温度劣化に対する耐久性が向上する。
【００２２】
＜６．１．２＞小動物による損傷被害の抑制効果
土木工事用袋体１０の損傷事例を検証すると、小動物のうちカラス等の鳥類によるものが最も多かった。
土木工事用袋体１０がカラスの場合の忌避色である緑色系の色に着色してあると、カラス等の鳥類が近づかず、土木工事用袋体１０を構成する袋本体２０だけでなく吊りベルト３０についても嘴や鋭利な爪で傷を付けられることがない。
したがって、小動物の損傷に起因した袋本体２０の破損や吊りベルト３０の破断を引き起こす危険性が低くなる。
緑色系の色にはカラス等の鳥類に対して猛毒であるヒ素成分の混在を誤認識させているものと推測されるが、緑色系の色と鳥類の忌避効果についての因果関係は明確に解明されてはいない。
土木工事用袋体１０を緑色系の色にすることで、カラスに対して忌避効果のあることは実証実験等で確認済みである。
このように、土木工事用袋体１０を緑色系にするだけで、小動物による損傷被害に起因した土木工事用袋体１０の耐久性が向上する。
【００２３】
＜６．２＞景観性の改善効果等
土木工事用袋体１０を緑色系にすることで、土木工事用袋体１０を周囲の景観に馴染みやすくして、土木工事用袋体１０を見る者の嫌悪感を緩和することができる。
緑色系の土木工事用袋体１０を市街地だけでなく山間部で使用しても周囲の景観に馴染みやすく、さらに緑色系は黒色と異色の関係にあるため、放射性除染物質の専用袋といった悪印象を払拭できて、土木工事用袋体１０を見る者の嫌悪感を緩和できる。
【００２４】
＜６．３＞疑似緑化効果
緑色系の土木工事用袋体１０を目にすることで、緑化の印象を与えることができる。
例えば複数の大型土のうを積み上げて盛土堤体や擁壁を構築した場合には、盛土堤体や擁壁の露出面が疑似緑化面となる。
さらに、緑の多い山間部の現場で使用した場合にも、土木工事用袋体１０が緑色系であるので周囲の景観と馴染み易い。
人通りの多い市街地で使用した場合も周囲の景観と馴染み易い。
【符号の説明】
【００２５】
１０・・・・土木工事用袋体
２０・・・・袋本体
２１・・・・収容部
２２・・・・蓋筒部
２３・・・・結束体
３０・・・・吊りベルト
３１・・・・吊り手
【図１】
2019218725.tif 000003
【図２】
2019218725.tif 000004
【図３】
2019218725.tif 000005
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
織地を用いた袋本体と、袋本体を吊るための織地を用いた吊りベルトとを具備し、前記袋本体に取り付けられた吊りベルトの一部に複数の吊り手が形成された土木工事用袋体であって、
前記袋本体および吊りベルトの全体が緑色系の同系色に着色され、
前記袋本体および吊りベルトを構成する織地の経糸および緯糸が緑色系に着色された着色糸であることを特徴とする、
土木工事用袋体。
【請求項２】
緑色系に着色された縫合糸を用いて縫合されていることを特徴とする、請求項１に記載の土木工事用袋体。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
織地を用いた袋本体と、袋本体を吊るための織地を用いた吊りベルトとを具備し、前記袋本体に取り付けられた吊りベルトの一部に複数の吊り手が形成された大型土のう用の土木工事用袋体であって、
前記袋本体および吊りベルトの全体が緑色系の色彩に着色され、
前記袋本体および吊りベルトを構成する織地の経糸および緯糸の原糸が紫外線吸収剤または反射剤を含み、緑色系の顔料で着色された同一の着色糸であることを特徴とする、
土木工事用袋体。
【請求項２】
緑色系に着色された縫合糸を用いて縫合されていて、前記縫合糸が紫外線吸収剤または反射剤を含み、緑色系の顔料で着色された着色糸であることを特徴とする、請求項１に記載の土木工事用袋体。